(57)【要約】【課題】  受光素子が搭載された支持基板の固定構造を改良して、受光素子の温度上昇を防止し、さらに、受光素子を配置するスペースの大小や形状にかかわらず、装置フレームに信号検出用の受光素子を確実に固定できる光ヘッド装置を提案すること。【解決手段】  光ヘッド装置１において、装置フレーム８の内側には支持壁８６０が形成され、支持基板３２に搭載された受光素子１１は、支持壁８６０に対向配置されている。支持基板３２は、受光素子１１が搭載された素子搭載用板部３３と、素子搭載用板部３３の左右両側から支持壁８６０に向かって折れ曲がった一対の固定用板部３６、３７とを備え、固定用板部３６、３７の先端部が支持壁８６０に各々固着されている。【選択図】  図３
2006351095.tif 000002
【特許請求の範囲】
【請求項１】
装置フレーム上に、光源と、該光源から出射されたレーザ光の光記録ディスクからの戻り光を受光する信号検出用の受光素子と、前記光源から前記光記録ディスクに向かう光路および前記光記録ディスクから前記受光素子に向かう光路に配置された複数の光学素子とが搭載された光ヘッド装置において、
前記装置フレームには、前記戻り光の光軸に対して略垂直な支持壁が形成されているとともに、前記受光素子は、支持基板に搭載された状態で前記支持壁に対向配置され、
前記支持基板は、前記受光素子が搭載された素子搭載用板部と、該素子搭載用板部の左右両側から前記支持壁に向かって折れ曲がった一対の固定用板部とを備え、前記一対の固定用板部の先端部が前記支持壁に各々固着されていることを特徴とする光ヘッド装置。
【請求項２】
請求項１において、前記支持壁は、前記装置フレームの内側のうち、前記受光素子の前方位置に形成されていることを特徴とする光ヘッド装置。
【請求項３】
請求項１または２において、前記装置フレームは、前記受光素子の側方に前記支持壁に対して鋭角をなす第１の側壁部分を備えていることを特徴とする光ヘッド装置。
【請求項４】
請求項３において、前記支持壁は、光記録ディスクに対して光ヘッド装置の走査方向と平行に形成され、かつ、
前記装置フレームは、光記録ディスクの外周側に相当する側に前記第１の側壁部分および該第１の側壁部分と直交する第２の側壁部分を備えていることを特徴とする光ヘッド装置。
【請求項５】
請求項１ないし４のいずれかにおいて、前記支持基板は、前記素子搭載用板部から左右両側に延びた一対の延設板部を備えるとともに、当該延設板部の両端部が各々、前記一対の固定用板部として前記支持壁に向けて屈曲しており、
前記一対の延設板部は、前記素子搭載用板部よりも上下方向の幅寸法が狭く、前記一対の延設板部の上辺部は、前記素子搭載用板部の上辺部よりも下方に位置し、前記一対の延設板部の下辺部は、前記素子搭載用板部の下辺部よりも上方に位置していることを特徴とする光ヘッド装置。
【請求項６】
請求項１ないし５のいずれかにおいて、前記装置フレームでは、前記受光素子が配置されている領域が上下方向に貫通する開口部になっていることを特徴とする光ヘッド装置。
【発明の詳細な説明】
【技術分野】
【０００１】
本発明は、ＣＤやＤＶＤなどの光記録ディスクの再生等に用いられる光ヘッド装置に関するものである。さらに詳しくは、光ヘッド装置において、信号検出用の受光素子の装置フレームへの固定構造に関するものである。
【背景技術】
【０００２】
ＣＤやＤＶＤなどの光記録ディスクの再生等に用いられる光ヘッド装置では、従来、レーザ光を出射する発光素子、発光素子から出射されたレーザ光が光記録ディスクで反射した戻り光を受光する信号検出用の受光素子、その他の多数の光学素子が、対物レンズを駆動するレンズ駆動機構とともに装置フレーム上に搭載されている。
【０００３】
このような光ヘッド装置では、受光素子を装置フレームに固定するにあたって、受光素子が搭載されているプリント配線基板の両端部分を嵌め込み可能な溝を装置フレームに設け、この溝内に接着剤を流し込んで装置フレームとプリント配線基板とを接着固定した構造が提案されている（例えば、特許文献１参照）。
【特許文献１】特開２００２−３６８２３４号公報
【発明の開示】
【発明が解決しようとする課題】
【０００４】
しかしながら、プリント配線基板の両端部を装置フレームに対して接着固定する構造では、プリント配線基板の配置するスペースが狭い場合には、プリント配線基板を小型化する必要があるため、プリント配線基板からの放熱性が低下し、かつ、プリント配線基板の熱容量が小さくなるので、光源での発熱などに起因する受光素子の温度上昇が大きくなってしまうという問題点がある。
【０００５】
また、プリント配線基板の両端部を装置フレームに対して接着固定する構造では、環境温度が変化した際、左右両側の接着剤の間で収縮あるいは膨張の度合いにアンバランスが発生すると、受光素子の位置や姿勢が大きく変動するという問題点がある。
【０００６】
さらに、プリント配線基板の両端部を装置フレームに対して接着固定する構造では、以下の理由から、光ヘッド装置およびこの光ヘッド装置を搭載した光記録ディスク駆動装置の小型化を図れないという問題点がある。すなわち、光記録ディスク駆動装置全体としての小型化を図る手法として、図５に示すように、光記録ディスク駆動装置のシャーシ１０１において、光記録ディスクの外周側に相当する部分を角部１０２とする構造が考えられ、このような場合に、光ヘッド装置の装置フレーム１０３の形状もシャーシ１０１の角部分１０２の形状に対応させて、装置フレーム１０３の側壁１０４、１０５を斜めに形成することが好ましい。しかしながら、このような形状の装置フレーム１０３を用いた場合、受光素子１０８を搭載したプリント配線基板１０６の側方に斜めの側壁部分１０４が位置するため、プリント配線基板１０６と装置フレーム１０３との隙間Ｓが極端に狭く、接着剤を塗布する際、ディスペンサの先端部を差し込めなくなってしまう。このため、装置フレーム１０３を設計する際、プリント配線基板１０６と装置フレーム１０３との支持壁部分に、ディスペンサの先端部を入れるためのスペースを確保する必要がある。
【０００７】
また、接着剤としてＵＶ接着剤を用いた場合には、斜めの側壁部分１０４でＵＶが遮られてしまうため、ＵＶを確実に照射できるようなスペースを確保するようなフレーム設計が必要となる。
【０００８】
その結果、装置フレーム１０３の形状をシャーシ１０１の角部分１０２の形状に対応させても、装置フレーム１０３を小型できず、光ヘッド装置を搭載した光記録ディスク駆動装置全体としてみた場合、大幅な小型化を図れないという問題点がある。
【０００９】
以上の問題に鑑みて、本発明の課題は、受光素子の固定構造を改良して、受光素子の温度上昇を防止可能な光ヘッド装置を提案することにある。
【００１０】
また、本発明の課題は、受光素子を配置するスペースの大小や形状にかかわらず、装置フレームに受光素子を確実に固定できる光ヘッド装置を提案することにある。
【課題を解決するための手段】
【００１１】
上記課題を解決するために、本発明では、装置フレーム上に、光源と、該光源から出射されたレーザ光の光記録ディスクからの戻り光を受光する信号検出用の受光素子と、前記光源から前記光記録ディスクに向かう光路および前記光記録ディスクから前記受光素子に向かう光路に配置された複数の光学素子とが搭載された光ヘッド装置において、前記装置フレームには、前記戻り光の光軸に対して略垂直な支持壁が形成されているとともに、前記受光素子は、支持基板に搭載された状態で前記支持壁に対向配置され、前記支持基板は、前記受光素子が搭載された素子搭載用板部と、該素子搭載用板部の左右両側から前記支持壁に向かって折れ曲がった一対の固定用板部とを備え、前記一対の固定用板部の先端部が前記支持壁に各々固着されていることを特徴とする。
【００１２】
本発明では、装置フレームには、受光素子と対向する位置に支持壁を備えており、受光素子が搭載された支持基板は、左右両側で折れ曲がった一対の固定用板部の先端部が支持壁に各々固着されている。このため、受光素子を配置するスペースが狭い場合でも、サイズの大きな支持基板を用いることができる。従って、支持基板からの放熱性が高いとともに、支持基板の熱容量が大きいので、光源の発熱などに起因する受光素子の温度上昇を防止することができる。また、支持基板を支持壁に接着剤により固定した場合において、環境温度が変化した際に左右両側の接着剤の間で収縮あるいは膨張の度合いにアンバランスが発生したときでも、受光素子の位置や姿勢が大きく変動することがない。
【００１３】
本発明において、前記支持壁は、例えば、前記装置フレームの内側のうち、前記受光素子の前方位置に形成されている。
【００１４】
本発明において、前記装置フレームは、例えば、前記受光素子の側方に前記支持壁に対して鋭角をなす第１の側壁部分を備えている。このように構成すると、受光素子の側方では、支持基板と装置フレームの第１の側壁部分との間には狭い隙間しかないが、受光素子が搭載された支持基板は、左右両側で折れ曲がった一対の固定用板部の先端部が支持壁に各々固着されているため、この固着部分の周辺には、接着剤を塗布する際にディスペンサの先端部を入れるのに十分なスペースが存在する。また、接着剤としてＵＶ接着剤を用いた場合には、ＵＶが遮られることがないため、ＵＶを確実に照射できる。それ故、受光素子の側方に装置フレームの斜めの第１の側壁部分が位置している場合でも、受光素子と装置フレームとの間を拡げる必要がない。それ故、装置フレームの小型化、光ヘッド装置の小型化、さらには光ヘッド装置が搭載される光記録ディスク駆動装置の小型化を図ることができる。
【００１５】
本発明において、前記支持壁は、光ヘッド装置の走査方向と平行に形成され、かつ、前記装置フレームは、光記録ディスクの外周側に相当する側に前記第１の側壁部分および該第１の側壁部分と直交する第２の側壁部分を備えているが好ましい。このように構成すると、光記録ディスク駆動装置の小型化を図るために当該光記録ディスク駆動装置のシャーシにおいて、光記録ディスクの外周側に相当する部分を角部とした場合に、シャーシの角部分の形状に対応させて、光ヘッド装置の装置フレームについても、装置フレームを大型化することなく、光記録ディスクの外周側に相当する側に、直交する第１の側壁部分および第２の側壁部分を備えた形状とすることができる。
【００１６】
本発明において、前記支持基板は、前記素子搭載用板部から左右両側に延びた一対の延設板部を備えるとともに、当該延設板部の両端部が各々、前記一対の固定用板部として前記支持壁に向けて屈曲しており、前記一対の延設板部は、前記素子搭載用板部よりも上下方向の幅寸法が狭く、前記一対の延設板部の上辺部は、前記素子搭載用板部の上辺部よりも下方に位置し、前記一対の延設板部の下辺部は、前記素子搭載用板部の下辺部よりも上方に位置していることが好ましい。このように構成すると、受光素子を光軸周りに回転させて、その角度位置を調整した場合でも、支持基板の延設板部が素子搭載用板部の上方あるいは下方に大きくはみ出すことがない。それ故、装置フレームの薄型化、および光ヘッド装置の薄型化を図ることができる。
【００１７】
本発明において、前記装置フレームでは、前記受光素子が配置されている領域が上下方向に貫通する開口部になっていることが好ましい。このように構成すると、底壁がない分、装置フレームおよび光ヘッド装置の薄型化を図ることができ、かつ、受光素子の光軸方向後方などが装置フレームによって囲まれた状態になるので、受光素子を外部からの接触などから保護することができる。
【発明の効果】
【００１８】
本発明に係る光ヘッド装置において、装置フレームの内側は、受光素子と対向する位置に支持壁を備えており、受光素子が搭載された支持基板は、左右両側で折れ曲がった一対の固定用板部の先端部が支持壁に各々固着されている。このため、受光素子を配置するスペースが狭い場合でも、サイズの大きな支持基板を用いることができる。従って、支持基板からの放熱性が高いとともに、支持基板の熱容量が大きいので、受光素子の温度上昇を防止することができる。また、支持基板を支持壁に接着剤により固定した場合において、環境温度が変化した際に、左右両側の接着剤の間で収縮あるいは膨張の度合いにアンバランスが発生したときでも受光素子の位置や姿勢が大きく変動することがない。さらに、受光素子の側方に位置する装置フレームの第１の側壁部分が支持基板に対して鋭角を成している場合でも、支持基板の固定用板部の先端部と支持壁との固着部分の周辺には、接着剤を塗布する際にディスペンサの先端部を入れるためのスペースが存在し、かつ、接着剤としてＵＶ接着剤を用いた場合にＵＶが遮られることもない。それ故、受光素子の側方に装置フレームの斜めの側壁部分が位置している場合でも、十分な接着剤を塗布できるとともに、接着剤を確実に硬化させることができる。しかも、受光素子と装置フレームとの間を拡げる必要がない。よって、光記録ディスク駆動装置の小型化を図るためにディスク駆動装置のシャーシにおいて、光記録ディスクの外周側に相当する部分を角部とした場合に、シャーシの角部分の形状に対応させて、光ヘッド装置の装置フレームについても、装置フレームを大型化することなく、光記録ディスクの外周側に相当する側に、直交する２つの側壁部分を備えた形状とすることができる。
【発明を実施するための最良の形態】
【００１９】
以下に、図面を参照して、本発明を適用した光ヘッド装置の一例を説明する。
【００２０】
図１は、本発明を適用した光ヘッド装置を搭載した光記録ディスク駆動装置を斜め下方から見た斜視図である。この図に示すように、本発明を適用した光ヘッド装置１は、矢印Ａで示すように、一対のガイド軸２、３に沿って、光記録ディスク４の半径方向に移動可能に支持されている。光ヘッド装置１、一対のガイド軸２、３、および光記録ディスク４を回転駆動するディスク駆動機構５は、光記録ディスク駆動装置１００のシャーシ６の開口６０内に搭載されている。ここで、シャーシ６は、光記録ディスク４の外周側に相当する部分が角部６１になっており、それにより、光ヘッド装置１の走査距離を確保しながら、光記録ディスク駆動装置１００の小型化が図られている。
【００２１】
光ヘッド装置１の装置フレーム８は、後述する枠状のメインフレーム８５と、このメインフレーム８５の内側に固定されたサブフレーム８６とから構成され、メインフレーム８５には、その両端にガイド軸２、３が係合する軸受部８１、８２が形成されている。
【００２２】
本形態において、装置フレーム８は、ディスク駆動機構５およびシャーシ６の形状に倣った平面形状に形成されている。すなわち、メインフレーム８５の一方側の側面は、ディスク駆動機構５に接近した際の干渉を防止するために円弧状に湾曲している。また、メインフレーム８５は、光ヘッド装置１の走査方向（矢印Ａで示す方向）に対して４５°の角度をなす第１の側壁部分８５１と第２の側壁部分８５２とが形成されており、第１の側壁部分８５１と第２の側壁部分８５２とは、シャーシ６の角部６１の形状に対応して、互いに直交する方向に延びている。
【００２３】
一対のガイド軸２、３は両端がシャーシ６に保持されている。これらのガイド軸２、３のうち、ガイド軸２（主ガイド軸）には雄ネジが形成されている一方、軸受部８１には雌ネジが形成されている。したがって、ガイド軸２の回転によって、装置フレーム８（光ヘッド装置１）は、光記録ディスク４の半径方向に駆動される。
【００２４】
ディスク駆動機構５としては、周知の構成のものを使用できるので、その詳細な説明は省略するが、スピンドルモータと、このスピンドルモータの回転軸に取り付けられたターンテーブルと、このターンテーブル上に載置されたチャッキング機構とを備えており、スピンドルモータがシャーシ６に固定されることにより、ディスク駆動機構５はシャーシ６上に搭載される。
【００２５】
（光ヘッド装置１の構成）
図２（ａ）および（ｂ）は、図１に示す光ヘッド装置の斜め下方から見た斜視図、および平面図である。これらの図も参照して説明すると、本形態の光ヘッド装置１は、波長が６５０ｎｍ帯の第１のレーザ光、および波長が７８０ｎｍ帯の第２のレーザ光を用いて、ＤＶＤ系ディスクおよびＣＤ系ディスクに対する情報の記録、再生が可能な２波長光ヘッド装置である。
【００２６】
光ヘッド装置１は、波長が６５０ｎｍの第１のレーザ光、および波長が７８０ｎｍの第２のレーザ光を出射するツインレーザ光源９を有している。ツインレーザ光源９は、波長が６５０ｎｍの第１のレーザ光（赤外光）を出射するＡｌＧａＩｎＰ系のレーザダイオードと、波長が７８０ｎｍの第２のレーザ光（外赤外光）を出射するＡｌＧａＡｓ系のレーザダイオードとを共通のパッケージ内に収納したものである。このツインレーザ光源９から出射される第１および第２のレーザ光は、ツインレーザ光源９から光記録ディスク４に向かう光路に配置された複数の光学素子からなる共通の光学系１０を介して光記録ディスク４であるＤＶＤ系ディスクあるいはＣＤ系ディスクに導かれる。また、光記録ディスク４からの戻り光も共通の光学系１０を介して共通の信号検出用の受光素子１１に導かれる。
【００２７】
共通の光学系１０には、ツインレーザ光源９から出射された第１および第２のレーザ光をトラッキング検出用に３ビームに回折する回折素子１３と、回折素子１３により３ビームに分離したレーザ光を部分反射するハーフミラー１４と、ハーフミラー１４からのレーザ光を平行光にするコリメートレンズ１５と、平行光を光記録ディスク４に向けて立ち上げる立ち上げミラー１６と、立ち上げミラー１６からのレーザ光を光記録ディスク４の記録面に収束させる対物レンズ１７とが含まれている。また、共通光学系１０には、光記録ディスク４の記録面で反射された後に、ハーフミラー１４を通過した第１および第２のレーザ光の戻り光に対して非点収差を付与するためのセンサーレンズ１８が含まれている。なお、ハーフミラー１４に対して回折素子１３とは反対側にフロントモニター用受光素子１９が配置されている。
【００２８】
対物レンズ１７は、対物レンズ駆動機構２０によって、トラッキング方向およびフォーカシング方向の位置がサーボ制御されるようになっている。本形態では、対物レンズ駆動機構２０としてワイヤサスペンション方式のものを用いており、対物レンズ１７を保持しているレンズホルダ２１と、このレンズホルダ２１を複数本のワイヤ２２でトラッキング方向およびフォーカシング方向に移動可能に支持しているホルダ支持部２３と、装置フレーム８に固定されたヨーク２４とを備えている。また、対物レンズ駆動機構２０は、レンズホルダ２１に取り付けられた駆動コイルと、ヨーク２４に取り付けられた駆動マグネットにより構成される磁気駆動回路２５を備えており、駆動コイルに対する通電を制御することにより、レンズホルダ２１に保持された対物レンズ１７を光記録ディスク４に対してトラッキング方向およびフォーカシング方向に駆動する。
【００２９】
このように構成した光ヘッド装置１において、ツインレーザ光源９から出射された第１および第２のレーザ光は、回折素子１３を透過した後、一部がハーフミラー１４の部分反射面によって反射され、その光軸が９０度折り曲げられてコリメートレンズ１５に向かう。そして、コリメートレンズ１５で平行光化されたレーザ光は、立ち上げミラー１６でその光軸が９０度折り曲げられて対物レンズ１７に向かう。
【００３０】
その際、ツインレーザ光源９から出射された第１および第２のレーザ光の一部は、ハーフミラー１４の部分反射面を透過して、モニター光としてフロントモニター用受光素子１９に導かれる。このフロントモニター用受光素子１９でのモニター結果は、ツインレーザ光源９にフィードバックされ、当該光源９から出射されるレーザ光の強度が制御される。
【００３１】
一方、光記録ディスク４からの戻り光は、対物レンズ１７、立ち上げミラー１６を逆に戻り、コリメートレンズ１５、ハーフミラー１４を介してセンサーレンズ１８に向けて出射され、このセンサーレンズ１８によって非点収差が付与された後、信号検出用の受光素子１１に入射し、受光素子１１で検出される。
【００３２】
この受光素子１１で検出される戻り光には、第１および第２のレーザ光が回折素子１３で回折された３ビームが含まれ、これら３ビームのうち、０次光からなるメインビームよって信号の再生が行われるとともに、±１次回折光からなるサブビームによって、対物レンズ１７のトラッキングエラーの検出が行われる。
【００３３】
（各光学部品の装置フレームへの搭載構造）
図３（ａ）および（ｂ）は、装置フレームの支持壁の周辺部分を拡大して示す説明図、および受光素子を保持する支持基板を抜き出して示す説明図である。図４は、図３に示す支持基板の正面図である。
【００３４】
図１に示すように、光ヘッド装置１の装置フレーム８は、ＺＤＣ２などの亜鉛合金製からなるメインフレーム８５と、このメインフレーム８５の内側に配置されたサブフレーム８６とから構成されている。装置フレーム８の内部は、サブフレーム８６に形成された支持壁８６０によって、ツインレーザ光源９、共通の光学系１０、および対物レンズ駆動機構２０が設置されている第１の設置部８１０と、受光素子１１が設置されている第２の設置部８２０とに区画されている。ここで、第２の設置部８２０は、上下方向に貫通する開口部になっている。また、支持壁８６０は、受光素子１１の前方位置に戻り光の光軸に対して垂直に形成されている。
【００３５】
第１の設置部８１０には、ガラスエポキシ基板などといった剛性の配線基板７が搭載されており、この配線基板７には、ツインレーザ光源９やフロントモニター用受光素子１９などに対する給電用の配線パターンが形成されているとともに、配線パターンを外部に配線接続するためのコネクタなどが搭載されている。この配線基板７には、ツインレーザ光源９、回折素子１３、ハーフミラー１４、コリメートレンズ１５、およびフロントモニター用受光素子１９が搭載されている。本形態では、配線基板７上で各光学部品の光学的な位置や姿勢を合わせるとともに、各光学部品を配線基板７に搭載した状態で配線基板７をサブフレーム８６に搭載し、配線基板７を搭載したサブフレーム８６をメインフレーム８５に固定する。配線基板７のコネクタにはフレキシブルプリント基板３１が接続され、外部からツインレーザ光源９やフロントモニター用受光素子１９などに対する給電が行われる。
【００３６】
ここで、立ち上げミラー１６は、メインフレーム８５に対して直接、搭載されている。また、対物レンズ１７を駆動するための対物レンズ駆動機構２０は、ヨーク２４が本体フレーム８に固定されることにより、メインフレーム８５上に搭載されている。
【００３７】
図３（ａ），（ｂ）、および図４も参照して説明すると、装置フレーム８の内部を第１の設置部８１０と第２の設置部８２０とに区画している支持壁８６０には、光記録ディスク４からの戻り光が通過する開口８６８が形成されている。開口８６８の内部は、センサーレンズ１８を搭載するためのセンサーレンズ搭載部とされており、センサーレンズ１８の位置決め基準面８６１が形成されている。この位置決め基準面８６１にセンサーレンズ１８が位置決めされた状態で接着剤などにより固定されている。
【００３８】
第２の設置部８２０の側に設置されている受光素子１１は、アルミニウム製の支持基板３２に搭載された状態で、開口８６８に対峙する位置で支持壁８６０に対向している。受光素子１１は配線基板４０に実装され、この配線基板４０にはフレキシブルプリント基板３１が接続されている。
【００３９】
支持基板３２は、受光素子１１が搭載された素子搭載用板部３３と、素子搭載用板部３３から左右両側に延びた一対の延設板部３４、３５を備えるとともに、延設板部３４、３５の両端部が各々、一対の固定用板部３６、３７として支持壁８６０に向けて前方に屈曲している。素子搭載用板部３３の中心部分には矩形の貫通孔３３０が形成され、ここを通過した光記録ディスク４からの戻り光が受光素子１１で受光されるようになっている。
【００４０】
ここで、支持基板３２の素子搭載用板部３３は、延設板部３６、３７と比較して上下方向の幅寸法が広く、受光素子１１と略同一寸法である。また、一対の延設板部３４、４５の上辺部３４１、３５１は、素子搭載用板部３３の上辺部３３１よりも下方に位置し、延設板部３４、３５の下辺部３４２、３５２は、素子搭載用板部３３の下辺部３３２よりも上方に位置している。
【００４１】
このように構成した支持基板３２を用いて、受光素子１１を装置フレーム８に搭載するには、まず、支持基板３２に対して、貫通孔３３０の中心と中心位置が一致するように受光素子１１が固定される。そして、光記録ディスク４からの戻り光を基準に受光素子１１の傾き調整を行い、しかる後に、固定用板部３６、３７の先端部が接着剤５０により支持壁８６０に固定される。
【００４２】
より具体的には、まず、支持基板３２をロボットハンドなどにより保持して支持壁８６０に位置合わせを行う。その際、支持基板３２の固定用板部３６、３７の先端部を支持壁８６０に向けた状態とする。この状態でツインレーザ光源９を点灯させ、光記録ディスク４からの戻り光を受光素子１１でモニターしながら、支持基板３２を、図３（ｂ）に示すように、戻り光の光軸Ｌに垂直なＸ方向およびＹ方向に移動させるとともに、光軸Ｌ周りに回転させて角度位置などの調整を行う。その際、支持基板３２の素子搭載用板部３３は、延設板部３６、３７と比較して上下方向の幅寸法が広く、延設板部３４、４５の上辺部３４１、３５１は、素子搭載用板部３３の上辺部３３１よりも下方に位置し、延設板部３４、３５の下辺部３４２、３５２は、素子搭載用板部３３の下辺部３３２よりも上方に位置しているため、支持基板３２を光軸Ｌ周りに回転させて、例えば、図４に一点鎖線で示すように傾けても、延設板部３５の上辺部３５１は、素子搭載用板部３３の上辺部３３１より上方に大きくはみ出ることがなく、延設板部３４の下辺部３４２は、素子搭載用板部３３の下辺部３３２より下方に大きくはみ出ることがない。
【００４３】
このようにして、受光素子１１の位置調整を行った後、ディスペンサ（図示せず）の先端部を、支持基板３２の固定用板部３６、３７と支持壁８６０との接着部分の近くに配置し、当該接着部分に向けてチューブから接着剤５０を吐出する。このチューブの外形寸法（直径）は約０．８ｍｍである。しかる後に、ＵＶ照射を行って接着剤５０を硬化させ、支持基板３２を支持壁８６０に固定する。
【００４４】
（本形態の主な効果）
以上説明したように、本形態の光ヘッド装置１では、装置フレーム８の内側には、受光素子１１と対向する位置に支持壁８６０を備えており、受光素子１１が搭載された支持基板３２は、左右両側で折れ曲がった一対の固定用板部３６、３７の先端部が支持壁８６０に各々固着されている。このため、受光素子１１を配置するスペースが狭い場合でも、サイズの大きな支持基板３２を用いることができる。従って、支持基板３２からの放熱性が高いとともに、支持基板３２の熱容量が大きいので、ツインレーザ光源９の発熱などに起因する受光素子１１の温度上昇を防止することができる。また、支持基板３２を支持壁８６０に接着剤５０により接着した後、環境温度が変化した際に、左右両側の接着剤５０の間で収縮あるいは膨張の度合いにアンバランスが発生したときでも受光素子１１の位置や姿勢が大きく変動することがない。
【００４５】
また、装置フレーム８は、受光素子１１の側方に支持壁８６０に対して鋭角をなす第１の側壁部分８５１を備えている。このため、受光素子１１の側方では、支持基板３２と装置フレーム８の第１の側壁部分８５１との間には狭い隙間しかないが、受光素子１１が搭載された支持基板３２は、左右両側で折れ曲がった一対の固定用板部３６、３７の先端部が支持壁８６０に各々固着され、この固着部分の周辺には、接着剤５０を塗布する際にディスペンサの先端部を入れるのに十分なスペースが存在する。また、接着剤５０としてＵＶ接着剤を用いた場合には、ＵＶが遮られることがないため、ＵＶを確実に照射できる。それ故、受光素子１１の側方に装置フレーム８の斜めの第１の側壁部分８５１が位置している場合でも、受光素子１１と装置フレーム８との間を拡げる必要がない。それ故、装置フレーム８の小型化、光ヘッド装置１の小型化、さらには光ヘッド装置１が搭載される光記録ディスク駆動装置１００の小型化を図ることができる。よって、光記録ディスク駆動装置１００の小型化を図るために光記録ディスク駆動装置１００のシャーシ６において、光記録ディスク４の外周側に相当する部分を角部６１とした場合に、シャーシ６の角部６１の形状に対応させて、光ヘッド装置１の装置フレーム８についても、装置フレーム８を大型化することなく、光記録ディスク４の外周側に相当する側に、直交する２つの側壁部分（第１の側壁部分８５１および第２の側壁部分８５２）を備えた形状とすることができる。
【００４６】
また、十分な量の接着剤５０を塗布できるとともに、接着剤５０を確実に硬化させることができるので、受光素子１１を確実に装置フレーム８に固定することができ、装置フレーム８の膨張・収縮や、接触、衝撃などへの耐性が高い。
【００４７】
さらに、装置フレーム８において、受光素子１１が配置された第２の設置部８２０は、上下方向に貫通する開口部になっているため、底壁がない分、装置フレーム８および光ヘッド装置１の薄型化を図ることができる。また、受光素子１１の光軸方向後方などが装置フレーム８によって囲まれた状態になるので、受光素子１１を外部からの接触などから保護することができる。
【００４８】
さらにまた、本形態では、支持壁８６０に形成した開口８６８の内部にセンサーレンズ１８を配置したので、支持壁８６０を設けたことによる装置フレーム８の大型化を防止できる。
【００４９】
（その他の実施の形態）
上記形態では、支持壁８６０と支持基板６２とを樹脂製としてもよく、この場合でも十分な量の接着剤５０で固定できるので、十分な接着強度を確保できる。
【００５０】
また、上記形態では、支持壁８６０と支持基板６２とを接着剤５０で固定したが、支持壁８６０および支持基板３２を鉄製とし、その表面に銅パターンなどを形成すれば、ハンダにより、支持壁８６０と支持基板６２とを固定することもできる。
【００５１】
さらに、上記形態では、受光素子１１の前方に支持壁８６０が形成されている構成であったが、受光素子１１の後方に支持壁が形成されている構成であってもよい。この場合、支持基板３２については、一対の固定用板部３６、３７が素子搭載用板部３３から後方に折れ曲がった構成を採用すればよい。
【図面の簡単な説明】
【００５２】
【図１】本発明を適用した光ヘッド装置を搭載した光記録ディスク装置を斜め下方から見た斜視図である。
【図２】（ａ）および（ｂ）は、図１に示す光ヘッド装置の斜め下方から見た斜視図、および平面図である。
【図３】（ａ）および（ｂ）は、図１に示す光ヘッド装置の装置フレームに形成した支持壁周辺部分を拡大して示す説明図、および受光素子が搭載された支持基板を抜き出して示す説明図である。
【図４】図３に示す支持基板の正面図である。
【図５】従来の光ヘッド装置の受光素子の装置フレームへの固定構造の説明図である。
【符号の説明】
【００５３】
１  光ヘッド装置
４  光記録ディスク
７  配線基板
８  装置フレーム
９  ツインレーザ光源
１０  共通の光学系
１１  受光素子
１７  対物レンズ
１８  センサーレンズ
２０  対物レンズ駆動機構
２１  レンズホルダ
２２  ワイヤ
３２  支持基板
３３  素子搭載用板部
３４、３５  延設板部
３６、３７  固定用板部
５０  接着剤
８５  本体フレーム
８６  光学フレーム
８６０  支持壁
【図１】
2006351095.tif 000003
【図２】
2006351095.tif 000004
【図３】
2006351095.tif 000005
【図４】
2006351095.tif 000006
【図５】
2006351095.tif 000007